(57)【特許請求の範囲】
【請求項１】
玄関ポーチの上方に外壁から張り出したバルコニーを設け、該バルコニーの自重を支える支持柱を、玄関開口部より前方位置の前記玄関ポーチから立ち上げてなり、
玄関開口部の両側の前方に位置する前記玄関ポーチから２本の支持柱を立ち上げ、一方の前記支持柱の上端と住宅の外壁との間にまぐさ材を掛け渡し、２本の前記支持柱の上端間にまぐさ材を掛け渡し、前記双方のまぐさ材で支持しながら前記バルコニーを設け、
前記玄関ポーチの、他方の前記支持柱側の側方に、住宅の別の外壁を他方の前記支持柱と離間させ、かつ一方の前記支持柱の上端と住宅の外壁との間に掛け渡した前記まぐさ材と平行に設け、
他方の前記支持柱と前記別の外壁との間に別のまぐさ材を掛け渡したことを特徴とするバルコニーを備えた住宅。
【請求項２】
前記支持柱を、軽量鉄骨部材で構成したことを特徴とする請求項１に記載のバルコニーを備えた住宅。
【請求項３】
前記玄関ポーチの固定部と前記支持柱の下端との間に、該支持柱の高さ調整、支持柱の垂直調整が自在な柱調整結合機構を設けたことを特徴とする請求項１又は２に記載のバルコニーを備えた住宅。
【発明の詳細な説明】
【０００１】
【発明の属する技術分野】
この発明は、バルコニーを備えた住宅に関する。
【０００２】
【背景の技術】
住宅の玄関ポーチの上方には、玄関ポーチに直接吹き付ける雨や雪、或いは照りつける太陽光線を遮るために、玄関庇を設ける場合が多い。そして、雨、雪や太陽光線を遮るために、玄関庇はできるだけ玄関ドアから外部に大きく張り出している方がよい。
【０００３】
【発明が解決しようとする課題】
しかし、玄関庇を大きく形成した玄関部を施工すると、施工日数、施工費が多くかかってしまうという懸念がある。
そこで、本発明者は、玄関庇としてバルコニーを利用することで、上記課題を解決することを考えた。
【０００４】
よって、本発明は、上記課題に鑑みてなされたものであり、その目的は、玄関庇を大きくしたのと同様な効果を施工日数、施工費を増大させずに簡単に実現でき、快適な居住空間とすることができるバルコニーを備えた住宅を提供することにある。
【０００５】
【課題を解決するための手段】
上記問題を解決するための本発明のバルコニーを備えた住宅を、図面を参照して説明すると、玄関ポーチ２の上方に外壁４から張り出したバルコニー６を設け、このバルコニー６の自重を支える支持柱８を、玄関開口部１０より前方位置の玄関ポーチ２から立ち上げてなり、
玄関開口部１０の両側の前方に位置する前記玄関ポーチ２から２本の支持柱８、８を立ち上げ、一方の前記支持柱８の上端８ａと住宅の外壁４との間にまぐさ材１２を掛け渡し、２本の前記支持柱８、９の上端８ａ、８ｂ間にまぐさ材１４を掛け渡し、前記双方のまぐさ材１２、１４で支持しながら前記バルコニー６を設け、
前記玄関ポーチ２の、他方の前記支持柱８側の側方に、住宅の別の外壁を他方の前記支持柱８と離間させ、かつ一方の前記支持柱８の上端と住宅の外壁との間に掛け渡した前記まぐさ材１２と平行に設け、
他方の前記支持柱８と前記別の外壁との間に別のまぐさ材を掛け渡した構成としている。
【０００６】
この発明によると、バルコニー６の底部が、玄関開口部１０から大きく張り出して玄関庇の替わりの部位となるので、玄関ポーチ２に直接吹き付ける雨や雪、或いは照りつける太陽光線を遮ることができる。そして、玄関庇を設けるための専用の施工を必要としないので、施工日数、施工費を低くすることができる。また、支持柱８が、バルコニー６を下側から確実に支持しているので、バルコニー６の補強構造を簡便なものとすることができる。
【０００８】
また、さらにバルコニー６を下側から支持する構造が確実になるので、さらにバルコニー６の補強構造を簡便にできる。また、支持柱８を、軽量鉄骨部材で構成してもよい。このようにすると、バルコニー６を支持する構造が強固となるので、外壁４からの張り出し寸法が長い大きなバルコニー６を設けることが可能となる。
【０００９】
さらに、玄関ポーチ２の固定部２０と支持柱８の下端８ｂとの間に、支持柱８の高さ調整、支持柱８の垂直調整が自在な柱調整結合機構１６を設けることが望ましい。このようにすると、バルコニー６の施工途中、玄関部の施工途中で支持柱８が多少傾いたり、バルコニー６の自重の変化により高さが変化する場合などがあるが、柱調整結合機構１６で支持柱８の高さ調整、支持柱８の垂直調整を行った後、固定部２０及び支持柱８の下端８ｂを最終的に結合することで、高品質の住宅を提供することが可能となる。
【００１０】
【発明の実施の形態】
以下、本発明に係る実施形態を図面に基づいて説明する。
図１は、施工途中の住宅の要部を示すものであり、符号２はコンクリート製の玄関ポーチ、符号１０は外壁４に囲まれて玄関ポーチ２に面している玄関開口部、符号８は、玄関開口部１０の両側の前方に位置する玄関ポーチ２から立ち上がっている２本の軽量鉄骨部材からなる支持柱、符号１２は、支持柱８の上端８ａと外壁４との間に掛け渡されたまぐさ材、符号１４は、２本の支持柱８、８の上端８ａ、８ａ間に掛け渡されたまぐさ材である。
【００１１】
前記支持柱８、８及びまぐさ材１２、１４は、玄関ポーチ２の上方を覆うように設けられるバルコニーの支持部材であり、これらの部材に支持されたバルコニー６は、図２に示すように、玄関ポーチ２の上方に位置しながら間口方向に延在して設けられている。
【００１２】
ここで、図３及び図４に示すものは、玄関ポーチ２及び支持柱８を結合する柱調整結合機構１６を示すものである。
【００１３】
玄関ポーチ２の支持柱８が立ち上がる位置には凹部２ａが形成されており、この凹部２ａの底面からアンカーボルト１８の頂部が突出している。そして、中央に設けた大穴２０にアンカーボルト１８を遊挿した状態で、四角板状のベースプレート（固定部）２２を凹部２ａの底面に載置している。ベースプレート２０上のコーナ側には、４本の結合ボルト２４が固定されている。そして、図４に示すように、アンカーボルト１８の頂部に、角座金２６を通した後にナット２８を手で軽く仮締めすることで、ベースプレート２０が凹部２ａの底面に仮固定されている。
【００１４】
また、支持柱８の下端８ａにはフランジ３０が固定されており、このフランジ３０に、前述したベースプレート２０の各結合ボルト２４に対応する４箇所の位置にボルト通過穴３０ａが設けられている。そして、支持柱８を凹部２ａから立ち上げる際には、所定の高さまで下部ナット３２をねじ込んだ各結合ボルト２４を、フランジ３０のボルト通過穴３０ａに通し、上部ナット３４を手で軽く仮締めしておく。
【００１５】
そして、バルコニー６の施工が略完了した時点で、凹部２ａのベースプレート２０の水平位置、支持柱８の高さ等を調整しながら、支持柱８の高さ、垂直度を矯正する。そして、アンカーボルト１８の頂部にナット２８を本締めし、結合ボル２４の上部ナット３４を本締めすることで、玄関ポーチ２上に支持柱８の下端８ｂを結合する。
【００１６】
上記構成によると、図２に示すように、バルコニー６の底部が玄関開口部１０から大きく張り出し、すなわち、玄関開口部１０に玄関ドアを設けると、バルコニー６の底部が玄関ドアから大きく張り出して玄関庇の替わりの部材となるので、玄関ポーチ２に直接吹き付ける雨や雪、或いは照りつける太陽光線を遮ることができる。
【００１７】
そして、玄関庇を設けるための専用の施工を必要としないので、施工日数、施工費を低くすることができる。
また、２本の支持柱８、８、まぐさ材１２、１４が、バルコニー６を下側から確実に支持しているので、バルコニー６の補強構造を簡便なものとすることができるとともに、バルコニー６を支持する構造が強固となるので、外壁４からの張り出し寸法が長い大きなバルコニー６を設けることができる。
【００１８】
さらに、バルコニー６の施工途中、玄関部の施工途中で支持柱８が多少傾いたり、バルコニー６の自重の変化により高さが変化する場合などがあっても、柱調整結合機構１６で支持柱８の高さ調整、支持柱８の垂直調整を行った後、玄関ポーチ２に固定したベースプレート２０及び支持柱８の下端８ｂを最終的に結合することで、高品質の住宅を提供することができる。
【００１９】
【発明の効果】
以上説明したように、本発明のバルコニーを備えた住宅によると、玄関ポーチの上方に外壁から張り出したバルコニーを設け、該バルコニーの自重を支える支持柱を、玄関開口部より前方位置の前記玄関ポーチから立ち上げているので、玄関庇を大きくしたのと同様な効果を施工日数、施工費を増大させずに簡単に実現できるとともに、快適な居住空間を有しながら、高品質の住宅を提供することができる。
【図面の簡単な説明】
【図１】施工途中の玄関部分の示す図である。
【図２】玄関ポーチの上方にバルコニーを設けた状態を示す図である。
【図３】本発明に係る柱調整結合機構１６を分解して示した図である。
【図４】本発明に係る柱調整結合機構１６により玄関ポーチ及び支持柱の下端を結合した状態を示す図である。
【符号の説明】
２    玄関ポーチ
４    外壁
６    バルコニー
８    支持柱
８ａ  支持柱の上端
８ｂ  支持柱の下端
１０  玄関開口部
１２、１４  まぐさ材
１６  柱調整結合機構
２０  ベースプレート（玄関ポーチ上の固定部）
【図１】
0004756745.tif 000002
【図２】
0004756745.tif 000003
【図３】
0004756745.tif 000004
【図４】
0004756745.tif 000005